(57)【要約】【課題】ミュートタイミングに抜けがあっても、無信号時の色が出ていることがユーザに気づかれないようにする。【解決手段】デジタルテレビ１００の制御部１１は、ＣＰＵ１２，ＲＡＭ１３，記憶部１４等を備えており、記憶部１４には、画像処理プログラム１４Ａ，記憶制御プログラム１４Ｂ、ミュート制御プログラム１４Ｃが格納されている。そして、ＣＰＵ１２が記憶制御プログラム１４Ｂを実行することで、ＩＣにデジタル信号が何も入力されない無信号状態時におけるレジスタ内の設定値が読み込まれて記憶部１４に記憶される。そして、画像ミュート時には、ミュート制御プログラム１４Ｃを実行するＣＰＵ１２により、記憶部１４に記憶された無信号画像データがＩＣに入力され、無信号状態時における映像の色を同色の表示色からなるミュート画像が表示部９に表示されることとなる。【選択図】図２
2008311913.tif 000002
【特許請求の範囲】
【請求項１】
デジタル画像を表示する表示手段と、
デジタル信号の入力に基づき前記表示手段に画像を表示する画像処理手段と、
前記画像処理手段へのデジタル信号の入力が無い場合に前記表示手段に表示される無信号画像データを記憶する記憶手段と、
画像ミュート時に、前記記憶手段に記憶された無信号画像データに基づき前記表示手段にミュート画像を表示させるミュート制御手段と、
を備えることを特徴とするテレビジョン受像機。
【請求項２】
前記画像処理手段へのデジタル信号の入力が無い場合における前記無信号画像データを検出するとともに、当該検出された無信号画像データを前記記憶手段に記憶させる記憶制御手段を備えることを特徴とする請求項１記載のテレビジョン受像機。
【請求項３】
デジタル画像を表示する表示部と、
デジタル信号の入力に基づき前記表示部に画像を表示させるためのＩＣと、
前記ＩＣへのデジタル信号の入力が無い場合に前記表示部に表示される無信号画像データを記憶するレジスタと、
画像ミュート時に、前記レジスタに記憶された無信号画像データに基づき前記表示部にミュート画を表示させるミュート制御手段と、
前記ＩＣへのデジタル信号の入力がない場合における前記無信号画像データを検出するとともに、当該検出された無信号画像データを前記レジスタに記憶させる記憶制御手段と、
を備えることを特徴とするテレビジョン受像機。
【請求項４】
デジタル画像を表示する表示手段と、
デジタル信号の入力に基づき前記表示手段に画像を表示する画像処理手段と、
前記画像処理手段へのデジタル信号の入力が無い場合に前記表示手段に表示される無信号画像データを記憶する記憶手段と、
画像ミュート時に、前記記憶手段に記憶された無信号画像データに基づき前記表示手段にミュート画像を表示させるミュート制御手段と、
を備え、
前記画像処理手段へのデジタル信号の入力が無い場合に前記記憶手段に記憶された無信号画像データを検出する第１工程と、
前記第１工程により検出された無信号画像データを前記画像処理手段に入力することで前記表示手段にミュート画像を表示させる第２工程と、
を備えることを特徴とするテレビジョン受像機の画像ミュート色決定方法。
【発明の詳細な説明】
【技術分野】
【０００１】
本発明は、画像切換の際にミュート画を挿入する機能を備えたテレビジョン受像機及び画像ミュート色決定方法に関する。
【背景技術】
【０００２】
従来、例えば、テレビジョン受像機やカーナビゲーション装置等の映像表示機器にあっては、例えば、受信部において受信したテレビジョン放送信号に含まれる画像（ＴＶ画像）と、ゲーム機器やＤＶＤ再生装置等の外部入力端子から入力された画像とを切り換える際に、例えば、黒色や青色等のミュート画を挿入することで映像の乱れを防止して、ユーザに不快感を与えないようになっている。
【０００３】
このようなミュート画を挿入するテレビジョン受像機としては、例えば、運転席側と助手席側とで異なる映像を表示できるマルチビューディスプレイ装置において、それぞれの画面切換時にミュート画を挿入する装置が知られている（例えば、特許文献１参照）。また、テレビジョン放送信号の受信状態に応じて映像及び音声の出力レベルを調製し、ユーザの不快感を低減する構成としたテレビジョン受像機が知られている（例えば、特許文献２参照）。さらに、例えば、衛星放送等の放送局の切り換えに伴う同期信号の切り換えを検出することで、画像にミュート処理を施すミュート処理回路も知られている（例えば、特許文献３参照）。
【特許文献１】特開２００７−０３６４５４号公報
【特許文献２】特開２００７−０４３５０１号公報
【特許文献３】特開平７−１１５５９８号公報
【発明の開示】
【発明が解決しようとする課題】
【０００４】
ここで、無信号状態時には、ＩＣから出力されるデジタル画像に関する出力信号を一時的に記憶するビデオメモリ内の、特に、レジスタ内に保持されている無信号画像データに基づき、個々のＩＣに固有の色（表示色）が表示部に表示される。このため、ミュート色を、例えば、青色や黒色等に予め設定していたとしても、当該ミュート色がそのＩＣに固有の表示色と異なる場合には、例えば、ＩＣに入力されるデジタル信号がノイズの影響等によって途切れた場合に、予め設定したミュート色とは異なる、ＩＣ固有の表示色が瞬間的に表示されて画像が乱れ、ユーザに不快感を与えてしまうという問題があった。
【０００５】
しかしながら、上記特許文献１〜３に開示される装置は何れも、必ずしも設定したミュート色とＩＣ固有の表示色とが同色であるとは言えず、ミュート画を表示させるミュート処理の最中にＩＣに入力されるデジタル信号が途切れた場合、ミュート色と異なる色の画面が表示されてユーザに不快感を与える虞があるという問題があった。
【０００６】
本発明の課題は、ミュートタイミングに抜けがあっても、無信号時の色が出ていることがユーザに気づかれないようにするテレビジョン受像機及びその画像ミュート色の決定方法を提供することにある。
【課題を解決するための手段】
【０００７】
上記課題を解決するために、請求項１に記載の発明は、テレビジョン受像機において、
デジタル画像を表示する表示手段と、
デジタル信号の入力に基づき前記表示手段に画像を表示する画像処理手段と、
前記画像処理手段へのデジタル信号の入力が無い場合に前記表示手段に表示される無信号画像データを記憶する記憶手段と、
画像ミュート時に、前記記憶手段に記憶された無信号画像データに基づき前記表示手段にミュート画像を表示させるミュート制御手段と、
を備えることを特徴とする。
【０００８】
請求項２に記載の発明は、請求項１に記載のテレビジョン受像機において、
前記画像処理手段へのデジタル信号の入力が無い場合における前記無信号画像データを検出するとともに、当該検出された無信号画像データを前記記憶手段に記憶させる記憶制御手段を備えることを特徴とする。
【０００９】
請求項３に記載の発明は、テレビジョン受像機において、
デジタル画像を表示する表示部と、
デジタル信号の入力に基づき前記表示部に画像を表示させるためのＩＣと、
前記ＩＣへのデジタル信号の入力が無い場合に前記表示部に表示される無信号画像データを記憶するレジスタと、
画像ミュート時に、前記レジスタに記憶された無信号画像データに基づき前記表示部にミュート画を表示させるミュート制御手段と、
前記ＩＣへのデジタル信号の入力がない場合における前記無信号画像データを検出するとともに、当該検出された無信号画像データを前記レジスタに記憶させる記憶制御手段と、
を備えることを特徴とする
【００１０】
請求項４に記載の発明は、テレビジョン受像機の画像ミュート色決定方法において、
デジタル画像を表示する表示手段と、
デジタル信号の入力に基づき前記表示手段に画像を表示する画像処理手段と、
前記画像処理手段へのデジタル信号の入力が無い場合に前記表示手段に表示される無信号画像データを記憶する記憶手段と、
画像ミュート時に、前記記憶手段に記憶された無信号画像データに基づき前記表示手段にミュート画像を表示させるミュート制御手段と、
を備え、
前記画像処理手段へのデジタル信号の入力が無い場合に前記記憶手段に記憶された無信号画像データを検出する第１工程と、
前記第１工程により検出された無信号画像データを前記画像処理手段に入力することで前記表示手段にミュート画像を表示させる第２工程と、
を備えることを特徴とする。
【発明の効果】
【００１１】
本発明によれば、画像処理手段へのデジタル信号の入力が無い場合に表示手段に表示される無信号画像データが記憶手段に記憶される。そして、テレビジョン受像機は、ミュート制御手段を備えることにより、記憶手段に記憶された無信号画像データに基づくミュート画像を画像ミュート時に表示手段に表示することができる。これにより、画像ミュート時に表示手段に表示されるミュート画像と、画像処理手段へのデジタル信号の入力が無い場合における無信号画像データに基づき表示手段に表示されるデジタル画像とを同一の画像とすることができる。従って、画像ミュート時に、例えば、ノイズの影響等によって画像ミュートが解除され、画像処理手段へのデジタル信号の入力が途切れて該画像処理手段に固有の表示色が表示手段に瞬間的に表示されたとしても、表示手段に表示されるデジタル画像に変化がないため違和感がなく、ユーザに不快感を与えることがない。また、これにより、ミュート処理の設計に際してミュートタイミングの抜けを考慮する必要がなくなるため、ある程度大雑把な設計とすることができ、開発効率の向上が図られる。
【発明を実施するための最良の形態】
【００１２】
以下、図を参照して、本発明に係る映像表示装置を実施するための最良の形態を詳細に説明する。なお、本実施形態では、テレビジョン受像機として、デジタルテレビを例示して説明する。ただし、本発明の範囲は以下の説明及び図示例に限定されるものではない。
【００１３】
まず、本発明に係るデジタルテレビ１００の構成について図１を参照しながら説明する。図１に示すように、デジタルテレビ１００は、例えば、アンテナ１，チューナ部２，復調部３，デコーダ４，音声処理部６，映像処理部７，音出力部８，表示部９，リモコン受信回路１０，リモコンＲ，制御部１１等を備えて構成されている。
【００１４】
アンテナ１は、例えば、パラボラアンテナやＵＨＦアンテナ等であり、地上波デジタル放送，ＢＳ・ＣＳ放送等のテレビジョン放送信号を含む放送波を受信し、地上波デジタル信号，ＢＳ・ＣＳ放送信号等のＲＦ信号をチューナ部２に出力する。なお、ＣＡＴＶ回線を介して放送波を受信する場合には、接続ケーブル（図示省略）等が備えられてもよい。
【００１５】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００１６】
復調部３は、例えば、チューナ部２から入力されるデジタルデータに復調処理等を行って、デコーダ４に出力する。
【００１７】
デコーダ４は、例えば、復調部３から入力されるデジタルデータに復号処理等を行って音声信号，映像信号からなる番組データ（コンテンツデータ）を生成し、音声処理部６及び映像処理部７に出力する。
【００１８】
音声処理部６は、例えば、ミュート回路（図示省略）等を備えて構成され、ＣＰＵ１２が画像処理プログラム１４Ａ（後述）を実行することにより制御されて、デコーダ４から出力される音声信号に対して、ミュート処理等を行う。
【００１９】
映像処理部７は、例えば、ミュート回路（図示省略）等を備えて構成され、ＣＰＵ１２が画像処理プログラム１４Ａを実行することにより制御されて、デコーダ４から出力される映像信号に対して、ミュート処理等を行う。
【００２０】
音出力部８は、例えば、スピーカ等を備えて構成され、音声処理部６から出力される音声信号に基づく音声を出力する。
【００２１】
表示部９は、例えば、ＬＣＤ（Liquid  Crystal  Display）やＰＤＰ（Plasma  Display  Panel）等を備えて構成され、映像処理部７から出力される映像信号に基づく映像を表示する。かかる表示部９は、デジタル画像を表示する本発明の表示手段として機能する。
【００２２】
リモコン受信回路１０は、例えば、リモコンＲから出力された操作信号を制御部１１に出力する。より具体的には、リモコン受信回路１０は、リモコンＲからの赤外線信号を電気信号に変換し、制御部１１に出力する。
【００２３】
リモコンＲは、例えば、各種の操作信号を入力するための各種のキー等を備え、ユーザにより操作されることによって、各種の操作信号をリモコン受信回路１０を介して制御部１１に出力する。
【００２４】
制御部１１は、デジタルテレビ１００全体の制御を行うＩＣであって、例えば、図１に示すように、ＣＰＵ（Central Processing Unit）１２，ＲＡＭ（Random Access Memory）１３，記憶部１４等を備えて構成される。
【００２５】
ＣＰＵ１２は、例えば、記憶部１４に格納された処理プログラム等を読み出して、ＲＡＭ１３に展開して実行することにより、デジタルテレビ１００全体の統括制御を行う。
【００２６】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００２７】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がデジタルテレビ１００全体を制御する機能を実現させるための各種データ，各種処理プログラム，これらプログラムの実行により処理されたデータ等を記憶する。
具体的に、記憶部１４には、例えば、図１に示すように、画像処理プログラム１４Ａ，記憶制御プログラム１４Ｂ、ミュート制御プログラム１４Ｃ等が格納されている。
【００２８】
画像処理プログラム１４Ａは、例えば、ＣＰＵ１２に、デジタル信号の入力に基づき表示部９にデジタル画像を表示させる機能を実現させるプログラムである。
具体的には、ＣＰＵ１２は、画像処理プログラム１４Ａを実行することにより、例えば、ＴＳ（Transport Stream）やＭＰＥＧ等のデジタル信号の入力に基づき、当該デジタル信号に応じたデジタル画像を表示部９に表示する。
ＣＰＵ１２は、かかる画像処理プログラム１４Ａを実行することにより、本発明における画像処理手段として機能する。
【００２９】
記憶制御プログラム１４Ｂは、例えば、ＣＰＵ１２に、無信号状態時に表示部９に表示される無信号画像データをレジスタに記憶させる機能を実現させるプログラムである。
具体的に、ＣＰＵ１２は、この記憶制御プログラム１４Ｂを実行することにより、例えば、ＩＣにＴＳやＭＰＥＧ等のデジタル信号の入力がない状態を作り出すとともに、この状態における記憶部１４のレジスタ内の設定値を読み出し、その読み出した設定値を記憶部１４に記憶させる。
ＣＰＵ１２は、かかる記憶制御プログラム１４Ｂを実行することにより、本発明における記憶手段の一部として機能する。
【００３０】
ミュート制御プログラム１４Ｃは、例えば、ＣＰＵ１２に、画像ミュート時すなわちミュート処理を行う際に、上記記憶制御プログラム１４Ｂを実行するＣＰＵ１２により記憶部１４に記憶された無信号画像データに基づくデジタル画像(ミュート画)を表示させる機能を実現させるプログラムである。
具体的には、ＣＰＵ１２は、このミュート制御プログラム１４Ｃを実行することにより、例えば、ミュート処理を行う際に、上記記憶制御プログラム１４Ｂを実行するＣＰＵ１２によって記憶部１４に記憶された無信号画像データを、デジタル信号としてＩＣに入力し、表示部９にミュート画像を表示させる。
ＣＰＵ１２は、かかる記憶制御プログラム１４Ｂを実行することにより、本発明におけるミュート制御手段として機能する。
【００３１】
＜実施形態の動作説明＞
次に、本実施形態に係るデジタルテレビ１００の動作説明を行う。
【００３２】
まず、デジタルテレビ１００において、通常時は、例えば図２（ａ）に示すように、ＩＣに入力されたＴＳやＭＰＥＧ等のデジタル信号に基づき、ＩＣから記憶部１４をバッファとして表示部９にデジタル画像が表示される。
次に、ミュート画像の色すなわちミュート色を決定する際には、記憶制御プログラム１４Ｂを実行するＣＰＵ１２により、ＩＣに、例えば、ＴＳやＭＰＥＧ等のデジタル信号が何も入力されない状態を作り出し、そのときの記憶部１４におけるレジスタ内の設定値すなわち無信号画像データを読み込み（第１工程）、その設定値を記憶部１４に記憶させる。
そして、ミュート処理を行う際すなわち画像ミュート時には、ミュート制御プログラム１４Ｃを実行するＣＰＵ１２により、記憶部１４に記憶された上記無信号画像データをＩＣに入力（図２（ｂ）参照）することにより、無信号状態時に形成されるデジタル画像（図２（ｃ）参照）の表示色と同色のミュート画像が表示部９に表示される（第２工程）こととなる。
【００３３】
＜実施形態の効果＞
以上説明した本発明に係るデジタルテレビ１００によれば、画像処理手段へのデジタル信号の入力が無い場合に表示手段に表示される無信号画像データが記憶手段に記憶される。そして、テレビジョン受像機は、ミュート制御手段を備えることにより、記憶手段に記憶された無信号画像データに基づくミュート画像を画像ミュート時に表示手段に表示することができる。これにより、画像ミュート時に表示手段に表示されるミュート画像と、画像処理手段へのデジタル信号の入力が無い場合における無信号画像データに基づき表示手段に表示されるデジタル画像とを同一の画像とすることができる。従って、画像ミュート時に、例えば、ノイズの影響等によって画像ミュートが解除され、画像処理手段へのデジタル信号の入力が途切れて該画像処理手段に固有の表示色が表示手段に瞬間的に表示されたとしても、表示手段に表示されるデジタル画像に変化がないため違和感がなく、ユーザに不快感を与えることがない。また、これにより、ミュート処理の設計に際してミュートタイミングの抜けを考慮する必要がなくなるため、ある程度大雑把な設計とすることができ、開発効率の向上が図られる。
【図面の簡単な説明】
【００３４】
【図１】本実施形態に係るテレビジョン受像機の構成を示すブロック図である。
【図２】本実施形態に係るテレビジョン受像機の動作説明図である。
【符号の説明】
【００３５】
１  アンテナ（受信手段）
２  チューナ部
３  復調部
４  デコーダ
６  音声処理部
７  映像処理部
８  音出力部
９  表示部（表示手段）
１０  リモコン受信回路
１１  制御部（ＩＣ）
１２  ＣＰＵ（画像処理手段、記憶制御手段、ミュート制御手段）
１３  ＲＡＭ
１４  記憶部
１４Ａ  画像処理プログラム（画像処理手段）
１４Ｂ  記憶制御プログラム（記憶制御手段）
１４Ｃ  ミュート制御プログラム（ミュート制御手段）
１００  テレビジョン受像機
Ｒ  リモコン
【図１】
2008311913.tif 000003
【図２】
2008311913.tif 000004